(57)【要約】【課題】感光ドラムユニットを簡易な構成としつつ、帯電ワイヤ及び露光ヘッドのレンズ面を確実に、かつ、容易な操作によって清掃可能な装置構成を提供する。【解決手段】感光ドラム２１と、該感光ドラム２１の外周面を帯電する帯電ワイヤ２３と、該帯電ワイヤ２３を清掃する清掃部材２７とをフレーム２０に配設した感光ドラムユニット２を備え、該感光ドラム２１が露光ヘッド３１にて露光されて静電潜像を形成する画像形成装置１において、前記清掃部材２７は、前記帯電ワイヤ２３に当接した状態で摺動されてこれを清掃するワイヤ清掃部２７ｃと、前記露光ヘッド３１のレンズ面３２に当接した状態で摺動されてこれを清掃するレンズ清掃部２７ｅとを備え、前記感光ドラム２１の長手方向に平行に延びるレバー部材２９の一端部に接続され、該レバー部材２９の操作によって摺動されて、帯電ワイヤ２３及び露光ヘッド３１のレンズ面３２を同時に清掃する。【選択図】図３
2005266255.tif 000002
【特許請求の範囲】
【請求項１】
感光ドラムと、該感光ドラムの外周面を帯電する帯電ワイヤと、該帯電ワイヤを清掃する清掃部材とをフレームに配設した感光ドラムユニットを備え、該感光ドラムがライン状の露光ヘッドにて露光されて静電潜像を形成する画像形成装置において、
前記清掃部材は、
前記帯電ワイヤに当接した状態で摺動されてこれを清掃するワイヤ清掃部と、
前記露光ヘッドのレンズ面に当接した状態で摺動されてこれを清掃するレンズ清掃部と、を備え、
前記感光ドラムの長手方向に平行に延びるレバー部材の一端部に接続され、該レバー部材の操作によって摺動されて、帯電ワイヤ及び露光ヘッドのレンズ面を同時に清掃することを特徴とする画像形成装置。
【請求項２】
前記清掃部材は、前記フレームの形状に沿うように延出して形成されるガイド部を有し、該ガイド部を介してフレームにガイドされて摺動されることを特徴とする請求項１に記載の画像形成装置。
【請求項３】
前記清掃部材は、前記ワイヤ清掃部及び前記レンズ清掃部を有する一体的な部材で成形されることを特徴とする請求項１又は請求項２に記載の画像形成装置。
【請求項４】
前記レバー部材は、他端部が前記感光ドラムユニットの一側方から突出されて、該突出部が感光ドラムユニットの長手方向に抜き差し操作されることを特徴とする請求項１乃至請求項３のいずれかに記載の画像形成装置。
【発明の詳細な説明】
【技術分野】
【０００１】
本発明は、画像形成装置に関し、より詳細には、帯電ワイヤと、感光ドラムユニットの近傍に配設されたＬＥＤ等の露光ヘッドのレンズ面とを、簡易な構成及び操作によって同時に清掃可能とした画像形成装置の感光ドラムユニットに関する。
【背景技術】
【０００２】
コピー機、ファクシミリ及びプリンタ等の画像形成装置に関して、外周面に光導電膜が被覆されている感光ドラムと、該感光ドラムを帯電させるための帯電器とを一体に配設した感光ドラムユニットとが、記録紙搬送経路に沿って配置されたものがすでに公知である。
【０００３】
この感光ドラムユニットの帯電器には、高電圧が印加されてコロナ放電を発生させる帯電ワイヤが張設されており、帯電ワイヤの表面に、装置内を浮遊しているシリカやトナーなどが放電生成物として付着すると、帯電ワイヤからのコロナ放電にむらが生じ、感光ドラムの表面を均一に帯電させることができなくなる。そして、そのことが画像形成時に濃度むらとなり、さらに画像むらや線の発生などの画像不具合となって現れていた。
【０００４】
一方、感光ドラムユニットの感光ドラム上に静電潜像を形成するための光記録手段として、ＬＥＤヘッドやＬＣＤヘッド等のライン状の露光ヘッドを用いた装置が開発されており、このＬＥＤヘッド等の露光ヘッドは焦点距離が短く、感光ドラムの表面近傍にレンズ面を配設する必要がある。そのため、露光ヘッドのレンズ面にトナー等が付着し易く、かかる場合に上述のような画像劣化を引き起こす要因となっていた。
【０００５】
このような課題を解決する画像形成装置として、これまでに、帯電ワイヤや露光ヘッドのレンズ面を清掃する清掃手段を感光ドラムユニットに配設したものが多く提案されており、そのような中でも、かかる清掃手段が帯電ワイヤ及び露光ヘッドのレンズ面の両方を同時に清掃可能とした画像形成装置が幾つか開示されている。
【０００６】
例えば、特許文献１に開示される画像形成装置は、感光ドラムと帯電ワイヤが本体側フレームに配設される感光ドラムユニットにおいて、本体側フレームの一端に開閉可能に配設された一のフレームの露光ヘッドが感光ドラムに対向するように配設したものである。該画像形成装置から感光ドラムユニットを取り出した状態で、一のフレームを開口させ、帯電ワイヤ及び露光ヘッドのレンズ面に当接するようにクリーニング部材が配設される。そして、このクリーニング部材をドラム軸に沿って移動させて該当部分の清掃を行うものである（特許文献１参照）。
【０００７】
また、特許文献２に開示される画像形成装置は、露光ヘッドに隣接した帯電器が長手方向に自在に引き出し可能に構成され、帯電器の固定フレームの側壁に帯電ワイヤのワイヤ清掃部が固設されるとともに、露光ヘッドのレンズ面に摺接可能なレンズ清掃部が露光ヘッドに向けて突出された構成である。そして、帯電器を引き出し時及び収納する時に、帯電器の移動フレーム側に張設された帯電ワイヤがワイヤ清掃部に摺接して移動しつつ、帯電器の移動に連続してレンズ清掃部が露光ヘッドのレンズ面に摺接して移動されるものである（特許文献２参照）。
【０００８】
【特許文献１】実開平５−８１８５３号公報
【特許文献２】特開平５−２８６２０６号公報
【発明の開示】
【発明が解決しようとする課題】
【０００９】
なるほど、従来の画像形成装置においては、帯電ワイヤ及び露光ヘッドのレンズ面をいずれも同時に清掃するので、これら帯電ワイヤ等にトナーが付着することによる上記画像劣化を防ぐことができ、また、両部材の清掃を同時に行うことで、かかる作業の手間を軽減しているものであった。
【００１０】
しかしながら、前記特許文献１において開示される画像形成装置では、帯電ワイヤ及び露光ヘッドのレンズ面を清掃するために、感光ドラムユニットに開閉回動可能な一のフレームを別途配設させる必要があり、感光ドラムユニットの構成が複雑化して製造コストがかかっていた。また、清掃を行う際には、まず装置本体の上部を覆うカバーを開口させ、次いで感光ドラムユニットの一のフレームを開口させ、その後清掃部材を取り付ける必要があったため、かかる清掃作業が煩わしかった。さらに、カバーを回動させて装置内部を開口するため、その他の塵埃が装置内部に入り込んで帯電ユニットに付着するおそれがあった。
【００１１】
また、特許文献２に記載される画像形成装置は、画像形成装置に対して帯電器の移動フレームを前後方向に摺動させてかかる清掃を行うものであるが、該移動フレーム側に帯電ワイヤが配設されているため、操作の度に帯電ワイヤが装置外部に引き出されて、帯電ワイヤが装置外の空気に直接触れることになり、その他の塵埃が付着する可能性があった。また、移動フレームの取り扱いを誤ると帯電ワイヤに歪み等が生じて、画像劣化の要因となっていた。さらに、帯電体において、固定フレームに移動フレームを摺動可能に取り付けるための構成が煩雑となっていた。
【００１２】
近年の画像形成装置においては、感光ドラムユニットを構成する部材点数を低減させ、隣接する構成部材の間隔を狭めて画像形成装置全体としてのコンパクト化が図られているところであり、かつ、簡易な操作によって清掃やメンテナンスを行えるような構成であることが好ましいのである。このような点で、特許文献１及び特許文献２で開示される装置は適した構成ではなかったといえる。
【００１３】
そこで、本発明においては、画像形成装置に関し、前記従来の課題を解決するもので、感光ドラムユニットを簡易な構成としつつ、帯電ワイヤ及び露光ヘッドのレンズ面を確実に、かつ、容易な操作によって清掃可能な装置構成とすることを目的とするものである。
【課題を解決するための手段】
【００１４】
本発明の解決しようとする課題は以上の如くであり、次にこの課題を解決するための手段を説明する。
【００１５】
すなわち、請求項１においては、感光ドラムと、該感光ドラムの外周面を帯電する帯電ワイヤと、該帯電ワイヤを清掃する清掃部材とをフレームに配設した感光ドラムユニットを備え、該感光ドラムがライン状の露光ヘッドにて露光されて静電潜像を形成する画像形成装置において、前記清掃部材は、前記帯電ワイヤに当接した状態で摺動されてこれを清掃するワイヤ清掃部と、前記露光ヘッドのレンズ面に当接した状態で摺動されてこれを清掃するレンズ清掃部と、を備え、前記感光ドラムの長手方向に平行に延びるレバー部材の一端部に接続され、該レバー部材の操作によって摺動されて、帯電ワイヤ及び露光ヘッドのレンズ面を同時に清掃するものである。
【００１６】
請求項２においては、請求項１において、前記清掃部材は、前記フレームの形状に沿うように延出して形成されるガイド部を有し、該ガイド部を介してフレームにガイドされて摺動されるものである。
【００１７】
請求項３においては、請求項１又は請求項２において、前記清掃部材は、前記ワイヤ清掃部及び前記レンズ清掃部を有する一体的な部材で成形されるものである。
【００１８】
請求項４においては、請求項１乃至請求項３のいずれかにおいて、前記レバー部材は、他端部が前記感光ドラムユニットの一側方から突出されて、該突出部が感光ドラムユニットの長手方向に抜き差し操作されるものである。
【発明の効果】
【００１９】
本発明の効果として、以下に示すような効果を奏する。
【００２０】
請求項１においては、清掃部材をレバー部材の往復操作のみによって摺動させて帯電ワイヤ及び露光ヘッドのレンズ面を同時に清掃でき、また、清掃作業においてその他の工程を要しないため作業効率が格段に向上する。さらに、帯電ワイヤや露光ヘッドを固定したままでこれらの清掃を行うことができ、各部材が損傷したり、不要な塵埃等が付着したりするのを防ぐことができる。
【００２１】
請求項２においては、清掃部材をフレームに安定して配設することができる。
【００２２】
請求項３においては、ワイヤ清掃部とレンズ清掃部とを一体成形して部品点数を低減し、また、大量生産が容易であるため製造コストを低減することができる。
請求項４においては、例えば、突出部をオペレータが把持して摺動操作を行えるため、清掃操作が容易となる。
【発明を実施するための最良の形態】
【００２３】
次に、発明の実施の形態を図面を参照して、以下に説明する。
図１は本発明の一実施例に係る画像形成装置の全体的な構成を示した正面断面図、図２は感光ドラムユニットの斜視図、図３は感光ドラムユニットの正面断面図、図４は清掃部材の摺動位置を表す感光ドラムユニットの側面図である。
なお、以下に示す画像形成装置１は、電子写真方式に構成されており、例えば、コピー機、プリンタ及びファクシミリ等に用いられるものである。
【００２４】
まず、画像形成装置１の全体構成について、以下に概略する。
図１に示すように、画像形成装置１は、給紙カセット６の上方に配置されている。画像形成装置１においては、給紙カセット６から繰り込まれた記録紙上に画像情報を顕像化したトナー画像が転写され、そのトナー画像が定着された後、記録紙が、画像形成装置１の上部に設けられる排紙トレイ７に主搬送経路１１を介して排出するようにしている。主搬送経路１１の外側に反転経路１２が形成され、この反転経路１２が該主搬送経路１１と分岐・合流するような構成とされている。主搬送経路１１における記録紙の搬送路に沿って、感光ドラムユニット２、露光器ユニット３、現像器ユニット４及び定着器ユニット５等が配置されている。
【００２５】
感光ドラムユニット２は、感光体として外周面に光導電膜を有する感光ドラム２１と、感光ドラム２１の外周面を帯電させる帯電器２２と、クリーニング装置２４等とから構成されている。帯電器２２に張設される帯電ワイヤ２３は、高電圧が印加されるとコロナ放電し、感光ドラム２１の外周面に均一に負の電荷を付与する。クリーニング装置２４にて転写プロセスにて転写されずに残ったトナー及び紙粉が回収される。
【００２６】
露光器ユニット３は、感光ドラム２１の斜上方に配設され、本実施例においては露光器としてＬＥＤを用いた固定走査型のものが配設されている。すなわち、露光器としてライン状に発光点が配置されている露光ヘッド３１が、そのレンズ面３２を感光ドラム２１に対向するように感光ドラムユニット２に近設されている。露光ヘッド３１が、前記帯電器２２によって帯電された感光ドラム２１の外周面にデジタル化された画像情報に基づいて像露光することによって、感光ドラム２１上の照射部分の負電荷が除去され、静電潜像が形成される。
【００２７】
現像器ユニット４は、供給ローラ４１と、現像ローラ４２等とから構成されている。供給ローラ４１は、トナーを収容するトナーケース４３からトナーを負に帯電させつつこれを現像ローラ４２に供給する。現像ローラ４２は、潜像が形成された感光ドラム２１にトナーを供給し、かかるトナーは、静電気によって感光ドラム２１上の負電荷が除去されている部分にのみ付着される。
【００２８】
また、現像器ユニット４を通過した記録紙は、感光ドラム２１の外周面と接触するように主搬送経路１１を挟んで配設された転写ローラ８１と感光ドラム２１とのニップ部に送り込まれる。そして、感光ドラム２１に密着された記録紙の裏側の転写ローラ８１にバイアス電圧が印加されると、負に帯電しているトナーが感光ドラム２１から記録紙へと転写される。トナーが転写された記録紙は、主搬送経路１１の下流の定着器ユニット５に送られる。
【００２９】
定着器ユニット５は、ヒートローラ５１と、ヒートローラ５１の外周面に圧接するように主搬送経路１１を挟んで配設されたプレスローラ５２等とで構成されている。そして、該ヒートローラ５１と該プレスローラ５２とのニップ部に記録紙が送り込まれて、トナー転写後の記録紙が加熱・加圧されて、記録紙上のトナー画像が定着される。
【００３０】
次に、感光ドラムユニット２について、以下に詳述する。
図２乃至図４に示すように、感光ドラムユニット２は、下部に感光ドラム２１が配設されており、上部に帯電器２２、上部であって該帯電器２２の側方（図３において右方）にクリーニング装置２４が配設されている。フレーム２０は、下方が開口されており、感光ドラム２１が、帯電器２２の直下方に位置するようにフレーム２０の長手方向の両側壁によって回転自在に軸支されている。
【００３１】
帯電器２２は、感光ドラム２１の表面にコロナ放電する帯電ワイヤ２３と、該帯電ワイヤ２３によるコロナ放電を感光ドラム２１の表面に均一に分布させるためのグリッド２６等とで構成されている。帯電ワイヤ２３は、フレーム２０の下方側（感光ドラム２１が配設される側）に両端をフレーム２０の側壁に支持されて、該フレーム２０の長手方向に沿って張設されている。帯電ワイヤ２３の下方であって感光ドラム２１の表面と帯電ワイヤ２３との間にグリッド２６がフレーム２０に固定されている。
【００３２】
フレーム２０は、クリーニング装置２４の配置と逆方向（図３において右方）に、感光ドラム２１の上方を覆うように延設されている。感光ドラム２１の下方はフレーム２０等の部材に覆われることなく外部に開放されており、この開放部分において、前記現像器ユニット４の現像ローラ４２や転写ローラ８１が感光ドラム２１の外周面に当接されて、トナー供給や転写プロセスが行われる。
【００３３】
このフレーム２０の延設部には、開口部２５ｂが感光ドラム２１の形状に沿って長手方向に開口され、該開口部２５ｂから感光ドラム２１の一部が露出されている。該感光ドラムユニット２の側方に露光器ユニット３の露光ヘッド３１が、そのレンズ面３２を該開口部２５ｂを介して感光ドラム２１の外周面に向くように配設される。すなわち、開口部２５ｂは、露光ヘッド３１からの光線が感光ドラム２１の外周面に照射される経路を妨げない大きさで、フレーム２０の長手方向に沿って正面視略矩形となるように開口されている。そして、感光ドラム２１、帯電ワイヤ２３、開口部２５ｂ（後述する開口部２５ａ）及び露光ヘッド３１のレンズ面３２は、長手方向においてそれぞれ略平行となるように配設されている。
【００３４】
フレーム２０の上面部には、感光ドラム２１の形状に沿って、長手方向長さが開口部２５ｂと略同一となるように開口部２５ａが開口されている。該開口部２５ａには、帯電ワイヤ２３を清掃するための清掃部材２７が摺動可能に配設されている。該清掃部材２７は、帯電ワイヤ２３を挟み込んだ状態で摺動されてこれを清掃するワイヤ清掃部２７ｃと、露光ヘッド３１のレンズ面３２に当接した状態で摺動されてこれを清掃するレンズ清掃部２７ｅとを有する。
【００３５】
清掃部材２７は、開口部２５ａを介してフレーム２０の上方と下方とに貫通するように配設され、フレーム２０の外側（上方）には、短手方向の長さが開口部２５ａより大きい水平部２７ａと、該水平部２７ａの上面に略垂直に配設された正面視略矩形状の垂直部２７ｂとが形成されている。フレーム２０の内側（下方）には、水平部２７ａの下面から開口部２５ａを介して前記帯電ワイヤ２３に当接するワイヤ清掃部２７ｃが形成されている。なお、垂直部２７ｂには、後述するレバー部材２９が固定される。
【００３６】
ワイヤ清掃部２７ｃは、下方に開口した断面略コ字状に形成され、開口部位にスポンジ等からなる清掃具２８ａが配設されている。該清掃具２８ａは、略１８０度折り返されて配設され、その間に帯電ワイヤ２３を挟持するようにして帯電ワイヤ２３の一部に当接している。帯電ワイヤ２３が清掃具２８ａによって挟持されるため、帯電ワイヤ２３の外周面に清掃具２８ａが密着して当接し、帯電ワイヤ２３を確実にむらなく清掃することができる。
【００３７】
ワイヤ清掃部２７ｃは、開口縁部がそれぞれ反対方向に開くように（すなわち、両開口縁部においてより開口するように）、弾性を有する部材から成形されている。該清掃部材２７をフレーム２０に取り付ける際には、ワイヤ清掃部２７ｃの開口縁部をそれぞれ近づくように開口縁部を押圧して開口部２５ａを通過させ、取り付けた後にかかる押圧を開放すると、フレーム２０の下側で開口縁部が開放される。こうして清掃部材２７がフレーム２０から上側に容易に取り外れないようにしている。なお、ワイヤ清掃部２７ｃの構成はこれに限定されるものではなく、端部に略矩形状の清掃具２８ａを配設して、帯電ワイヤ２３に摺接させるような構造であってもよい。
【００３８】
また、清掃部材２７は、水平部２７ａの左端部からフレーム２０の外側形状に沿って、かつ、感光ドラム２１の軸方向に対して略垂直方向にガイド部２７ｄが延設されている。ガイド部２７ｄは、該フレーム２０の外面上を前記開口部２５ｂまで到達するように延設され、その端部にレンズ清掃部２７ｅが取り付けられている。レンズ清掃部２７ｅは、短手方向の長さが開口部２５ｂと略同じ長さに成形されて、開口部２５ｂの一部を遮るよう開口内に配置されている。該レンズ清掃部２７ｅに配設される清掃具２８ｂが、該開口部２５ｂに向けられた露光ヘッド３１のレンズ面３２の一部に当接している。
【００３９】
ここで、本実施例における清掃部材２７は、これを構成する水平部２７ａ、垂直部２７ｂ、ワイヤ清掃部２７ｃ、ガイド部２７ｄ及びレンズ清掃部２７ｅをそれぞれ一体的な合成樹脂部材からなるように形成されている。そのため、帯電ワイヤ２３を清掃する部材と、露光ヘッド３１のレンズ面３２を清掃する部材とを、一体成形できるため、部品点数を低減させ、感光ドラムユニット２や露光器ユニット３の構成をコンパクトにできると共に、周辺部材のレイアウトもより密に近設させることができる。さらに、例えば、耐薬品性・耐熱性等の特性に優れた熱可塑性樹脂を成型加工することで容易に大量生産でき、製造コストを低減することができる。
【００４０】
また、清掃部材２７は、該ガイド部２７ｄを介してフレーム２０の外側壁にガイドされて位置決めされている。上述のように、清掃部材２７は、水平部２７ａとワイヤ清掃部２７ｃとによって、フレーム２０に形成された開口部２５ａに取り付けられるが、これだけでは不安定である。そこで、水平部２７ａから延設して形成されるガイド部２７ｄが、フレーム２０の外壁に当接されるように構成されている。そして、該ガイド部２７ｄがフレーム２０の外側壁に摺接しながら、清掃部材２７がフレーム２０の長手方向に沿って摺動されるように構成されている。そのため、清掃部材２７をフレーム２０に安定して配設することができる。また、ガイド部２７ｄとレンズ清掃部２７ｅとは折れ曲がって連なっているため、レンズ清掃部２７ｅは自己のばね性によって露光ヘッド３１側に付勢されることになるため、清掃具２８ｂがレンズ面３２に当接することになる。したがって、清掃部材２７が摺動されても、帯電ワイヤ２３や露光ヘッド３１のレンズ面３２と確実に当接させることができ、むらなく清掃することができる。さらに、ガイド部２７ｄを介してレンズ清掃部２７ｅが配設されることからレンズ清掃部２７ｅの配設部材をも兼ねるため、部品点数を低減させ、清掃部材２７をよりコンパクトに構成することができる。
【００４１】
なお、該清掃部材２７のガイド部２７ｄよりも外側位置には、板金９０が該ガイド部２７ｄの長手方向に沿ってフレーム２０に配設されている。板金９０は、通常はガイド部２７ｄに当接せず、該ガイド部２７ｄ（清掃部材２７）が傾いたりフレーム２０から外れそうになったりした場合に、ガイド部２７ｄが当接してこれをガイドするように構成されており、清掃部材２７が容易に取り外れないようにしている。
【００４２】
また、フレーム２０には、感光ドラム２１の長手方向に沿って、清掃部材２７を前後摺動させる操作具としてのレバー部材２９が横設されている。レバー部材２９は、一端部が、清掃部材２７の垂直部２７ｂに着脱可能に取り付けられ、他端部が、フレーム２０の側壁２０ａを貫通して側方に突出されている。レバー部材２９は、感光ドラム２１や帯電ワイヤ２３等と略平行となるように、垂直部２７ｂと側壁２０ａによって支持されている。
【００４３】
そして、レバー部材２９が感光ドラムユニット２の前後方向に摺動されると、清掃部材２７がレバー部材２９とともに摺動されるように構成されている。上述のように、清掃部材２７は、開口部２５ａ及びガイド部２７ｄによって摺動方向が規制されているため、該清掃部材２７に一端部が接続されるレバー部材２９を前後操作して、清掃部材２７をフレーム２０の長手方向に沿って摺動させることができる。
【００４４】
図４に示すように、レバー部材２９が感光ドラムユニット２内に押し込まれると、清掃部材２７は、開口部２５ａの後方端部に当接した状態（ホームポジションＰ１）で停止される。レバー部材２９が徐々に感光ドラムユニット２から引き出されると、清掃部材２７は、レバー部材２９に対して相対位置変動不能に連動して開口部２５ａにそって摺動される。そして、清掃部材２７が開口部２５ａの前方端部に当接して停止された状態（エンドポジションＰ２）で、レバー部材２９をこれ以上感光ドラムユニット２から引き出すことができないような構成として、清掃部材２７が抜け落ちないようにしている。清掃部材２７がホームポジションＰ１からエンドポジションＰ２まで摺動されると、清掃部材２７に配設されるワイヤ清掃部２７ｃ及びレンズ清掃部２７ｅによって、帯電ワイヤ２３及び露光ヘッド３１のレンズ面３２がそれぞれ清掃される。
【００４５】
このように、本実施例に示す画像形成装置１においては、感光ドラムユニット２に配設された清掃部材２７がレバー部材２９の一操作のみによって摺動されて、帯電ワイヤ２３及び露光ヘッド３１のレンズ面３２が同時に清掃され、また、かかる清掃作業においてはその他の工程を要することなく行えるため、作業効率が格段に向上されている。そして、オペレータが、レバー部材２９を感光ドラムユニット２から出し引きする操作を繰り返し行って、清掃部材２７をホームポジションＰ１とエンドポジションＰ２とを往復摺動させることで、帯電ワイヤ２３及び露光ヘッド３１のレンズ面３２を効果的に清掃することができる。また、帯電ワイヤ２３や露光ヘッド３１の配設位置を固定したままでこれらの清掃を行うことができ、位置を変動させることで各部材が損傷したり、不要な塵埃等が付着したりするのを防ぐことができる。
【００４６】
さらに、本実施例においては、レバー部材２９の側壁２０ａからの突出部２９ａを、オペレータがレバー部材２９を摺動操作する際のグリップとして用いることができる。突出部２９ａをオペレータが把持して摺動操作を行えるため、清掃操作が容易となる。特に、感光ドラムユニット２が、画像形成装置１に内設された状態で、帯電ワイヤ２３等の清掃を行うことができ、帯電ワイヤ２３等が外気に触れて塵埃等が付着するのを防ぐことができる。
【００４７】
なお、レバー部材２９は、画像形成装置１に内設された状態で、図示せぬフロントカバーが閉じられると、フロントカバーの内壁がレバー部材２９の他端の先端部に当接されて、清掃部材２７がホームポジションＰ１に位置した状態で、前後移動不能に位置決めするように構成してもよい。このような構成とすると、フロントカバーが閉じた状態（通常の装置使用時）には、レバー部材２９が位置決めされるため、清掃部材２７が摺動して画像形成装置１の画像形成プロセスを妨げることはない。一方で、フロントカバーが開けられた状態（メンテナンス時）には、レバー部材２９に位置決めが開放されて、レバー部材２９によって清掃部材２７を移動自在に操作して、清掃作業を行うことができるのである。
【図面の簡単な説明】
【００４８】
【図１】本発明の一実施例に係る画像形成装置の全体的な構成を示した正面断面図。
【図２】感光ドラムユニットの斜視図。
【図３】感光ドラムユニットの正面断面図。
【図４】清掃部材の摺動位置を表す感光ドラムユニットの側面図。
【符号の説明】
【００４９】
１    画像形成装置
２    感光ドラムユニット
２０    フレーム
２１    感光ドラム
２３    帯電ワイヤ
２７    清掃部材
２７ｃ    ワイヤ清掃部
２７ｅ    レンズ清掃部
２９    レバー部材
３１    露光ヘッド
３２    レンズ面
【図１】
2005266255.tif 000003
【図２】
2005266255.tif 000004
【図３】
2005266255.tif 000005
【図４】
2005266255.tif 000006